(57)【要約】【課題】給水管路内に残留する液体を、別途処理することなく、短時間にて自動的に回収または排液することができるとともに、給水管路内を、短時間にて自動的に消毒することができる内視鏡洗浄消毒装置を提供する。【解決手段】給水フィルタ１７及び給水電磁弁１５が介装された給水管路９と、薬液管路６４と、チャンネル電磁弁２８が介装された循環管路２０と、チャンネル管路２１と、チャンネル管路２１と給水管路９の１次側とを連通する消毒用管路１６０と、洗浄消毒槽４に設けられた第１の排水口５５と、薬液回収管路６１と、外部排水口と第１の排水口５５とを連通する排水管路５９と、切替弁５７と、給水管路消毒プログラムを備え、該給水管路消毒プログラムに応じて各弁の開閉または切替制御及び各ポンプの駆動制御を行う制御部７０とを、装置本体２内に具備することを特徴とする。【選択図】図５
2008132281.tif 000002
【特許請求の範囲】
【請求項１】
内視鏡を自動的に洗浄消毒する内視鏡洗浄消毒装置であって、
水道水を濾過処理するフィルタ及び開閉自在な第１の弁が介装された、内視鏡が配置される洗浄消毒槽に少なくとも前記水道水を供給する給水管路と、
第１のポンプが介装され、該第１のポンプの駆動により、薬液タンクから前記洗浄消毒槽に消毒液を供給する薬液管路と、
開閉自在な第２の弁及び自吸式の第２のポンプが介装され、前記洗浄消毒槽内の少なくとも前記水道水と消毒液とエアとのいずれかを、前記第２のポンプの駆動により前記洗浄消毒槽に対して循環させる循環用管路と、
前記循環用管路の前記第２のポンプの流出側と前記給水管路の前記フィルタに対する流入側とを連通する消毒用管路と、
前記洗浄消毒槽に設けられた第１の排水口と前記薬液タンクとを連通する薬液回収管路と、
第３のポンプが介装されるとともに、前記第１の排水口と装置本体における第２の排水口とを連通し、前記第３のポンプの駆動により前記洗浄消毒槽内の少なくとも前記消毒液と前記水道水とのいずれかを前記装置本体外に排水する排水管路と、
前記第１の排水口に設けられた、該第１の排水口を、前記薬液回収管路と前記排水管路とのいずれかと連通させるよう切り替えるとともに開閉自在な第３の弁と、
前記給水管路内に対して、前記循環用管路及び前記消毒用管路を介して前記洗浄消毒槽内の前記水道水と前記消毒液と前記エアとのいずれかを供給し、前記給水管路の水抜き、消毒、濯ぎのいずれかを行うととともに、前記給水管路から排出された前記洗浄消毒槽内の少なくとも前記水道水と前記消毒液とのいずれかを、前記薬液回収管路を介して前記薬液タンクに回収するか前記排水管路を介して前記第２の排水口から排水するかのいずれかを行う第１のプログラムを備え、該第１のプログラムに応じて前記各弁の開閉または切替制御及び前記各ポンプの駆動制御を行う制御部と、
を前記装置本体内に具備することを特徴とする内視鏡洗浄消毒装置。
【請求項２】
前記循環用管路は、前記洗浄消毒槽に配置された前記内視鏡が具備する内視鏡管路内に、少なくとも洗浄液と前記水道水と前記消毒液と前記エアとのいずれかを供給するポートを備え、該ポートには、前記内視鏡管路が接続されており、
前記制御部は、さらに、少なくとも前記循環用管路内及び前記内視鏡管路内に対して、洗浄、消毒、濯ぎを行う第２のプログラムを具備しており、前記第２のプログラムに、前記第１のプログラムが組み込まれていることを特徴とする請求項１に記載の内視鏡洗浄消毒装置。
【請求項３】
前記循環用管路における前記消毒用管路の接続位置に、第４の弁が介装されており、
前記制御部は、前記第１のプログラムに応じて、前記第４の弁を切替制御することにより、前記循環用管路の前記消毒用管路に対する連通を切り替えることを特徴とする請求項１または２に記載の内視鏡洗浄消毒装置。
【請求項４】
前記消毒管路に、第５の弁が介装されており、
前記制御部は、前記第１のプログラムに応じて、前記第５の弁を開閉制御することにより、前記循環用管路の前記消毒用管路に対する連通を切り替えることを特徴とする請求項１または２に記載の内視鏡洗浄消毒装置。
【請求項５】
請求項１に記載の内視鏡洗浄消毒装置の装置内管路の消毒方法において、
前記制御部は、
前記第２のポンプを駆動して、前記洗浄消毒槽内のエアを、前記循環用管路、前記消毒用管路を介して、前記給水管路の前記フィルタに対する前記流入側に流入させ、前記給水管路内に滞留していた前記水道水を前記洗浄消毒槽に対して排出し、前記第３の弁を切り替えるとともに前記第３のポンプを駆動して、前記洗浄消毒槽の前記水道水を、前記排水管路を介して前記第２の排水口から排水する給水管路水抜き工程と、
前記第３の弁を閉成し、前記第１のポンプを駆動して、前記薬液タンクから前記薬液管路を介して前記洗浄消毒槽に前記消毒液を供給し、前記第２のポンプを駆動することにより、前記消毒液を、前記循環用管路、前記消毒用管路を介して、前記給水管路の前記フィルタに対する前記流入側に流入させ、前記給水管路内を消毒する給水管路消毒工程と、
前記第１のポンプ及び前記第２のポンプを停止させ、設定時間経過後、前記第２のポンプを再度駆動して、前記洗浄消毒槽内のエアを、前記循環用管路、前記消毒用管路を介して、前記給水管路の前記フィルタに対する前記流入側に流入させ、前記給水管路内に滞留していた前記消毒液を前記洗浄消毒槽に対して排出し、前記第３の弁を開成するとともに切り替えて、前記洗浄消毒槽の前記消毒液を、前記薬液回収管路を介して前記薬液タンクに回収する消毒液回収工程と、
前記第１の弁を開成し、前記洗浄消毒槽に前記水道水を供給し、前記水道水を、前記循環用管路、前記消毒用管路を介して、前記給水管路の前記フィルタに対する前記流入側に流入させ、前記給水管路内を濯いで、前記洗浄消毒槽に排出した後、前記第３の弁を切り替るとともに前記第３のポンプを駆動して、前記洗浄消毒槽の前記水道水を、前記排水管路を介して前記第２の排水口から排水する給水管路濯ぎ工程と、
を行う前記第１のプログラムを実行することを特徴とする内視鏡洗浄消毒装置の装置内管路の消毒方法。
【請求項６】
前記制御部は、前記第２のポンプを駆動するとともに、前記第２の弁を開成して、少なくとも前記循環用管路内及び該循環用管路に設けられたポートに接続された前記内視鏡が具備する内視鏡管路内の洗浄、消毒及び濯ぎを行う第２のプログラムをさらに具備し、
前記制御部は、前記第１のプログラムが組み込まれた前記第２のプログラムを実行することを特徴とする請求項５に記載の内視鏡洗浄消毒装置の装置内管路の消毒方法。
【請求項７】
前記第２の循環管路における前記消毒用管路の接続位置に、第４の弁が介装されており、
前記制御部は、前記給水管路水抜き工程と、前記給水管路消毒工程と、前記消毒液回収工程と、前記給水管路濯ぎ工程とを、前記第１のプログラムを実行して、前記第４の弁を切り替えることにより、前記循環用管路を前記消毒用管路に連通させて行うことを特徴とする請求項５または６に記載の内視鏡洗浄消毒装置の装置内管路の消毒方法。
【請求項８】
前記消毒管路に、第５の弁が介装されており、
前記制御部は、前記給水管路水抜き工程と、前記給水管路消毒工程と、前記消毒液回収工程と、前記給水管路濯ぎ工程とを、前記第１のプログラムを実行して、前記第５の弁を開成することにより、前記循環用管路を前記消毒用管路に連通させて行うことを特徴とする請求項５または６に記載の内視鏡洗浄消毒装置の装置内管路の消毒方法。
【発明の詳細な説明】
【技術分野】
【０００１】
本発明は、内視鏡を自動的に洗浄消毒する内視鏡洗浄消毒装置、及び内視鏡洗浄消毒装置の装置内管路の消毒方法に関する。
【背景技術】
【０００２】
近年、内視鏡は、医療分野及び工業用分野において広く利用されている。医療分野において用いられる内視鏡は、細長い挿入部を体腔内に挿入することによって、体腔内の臓器を観察したり、必要に応じて内視鏡が具備する処置具の挿通チャンネル内に挿入した処置具を用いて各種処置をしたりすることができる。
【０００３】
医療分野の内視鏡は、特に検査及び治療を目的として体腔内に挿入されて使用されるものであるため、使用後、再度使用するためには洗浄消毒が必要となる。この使用済みの内視鏡を洗浄消毒する方法としては、例えば、内視鏡洗浄消毒装置を用いて行う方法が周知である。
【０００４】
内視鏡洗浄消毒装置を用いれば、内視鏡は、内視鏡洗浄消毒装置の洗浄消毒槽内にセットされるのみで、内視鏡に対して、自動的に、洗浄、消毒、濯ぎ及び水切り等（以下、洗浄消毒工程と称す）を行うことができる。この際、内視鏡は、該内視鏡の外表面のみならず、内視鏡が内部に有する既知の送気送水管路、処置具挿通管路等の複数の管路内も洗浄消毒される。
【０００５】
また、洗浄消毒装置は、上述した洗浄消毒工程を行うため、洗浄消毒槽に水道水を供給する構成を有しているのが一般的である。しかしながら、水道水は、生活用水であることから雑菌等を含んでいる場合もあるため、内視鏡の洗浄消毒工程に、そのまま用いるには適さない。
【０００６】
よって、内視鏡洗浄消毒装置には、水道栓から洗浄消毒槽に水道水を供給する給水管路の中途位置に、水道水の雑菌を除去することができる給水フィルタが設けられているのが一般的である。尚、給水フィルタは、給水フィルタケース（以下、単にフィルタケースと称す）内に装着されることにより設けられている。
【０００７】
ここで、給水管路及びフィルタケース内（以下、単に給水管路内と称す）には、常時水道水が残留しているため、内視鏡洗浄消毒装置を使用しないで長期間放置した場合等、給水管路内に雑菌が繁殖しやすくなってしまうことから、給水管路内を定期的にユーザにより消毒する必要が生じる。
【０００８】
しかしながら、従来の内視鏡洗浄消毒装置においては、給水管路内に、内視鏡洗浄消毒後の洗浄液等が流れる構成を有していないことから、洗浄に伴う汚染の心配がないため、給水管路内を自動的に消毒できる構成を有していない。
【０００９】
よって、給水管路内を消毒するには、ユーザは、別途、給水管路内に、消毒液を注入する管路を接続しなければならないため、ユーザにとって給水管路の消毒作業が非常に煩雑であるといった問題があった。
【００１０】
このような問題に鑑み、特許文献１には、内視鏡洗浄消毒装置が装置本体内に具備する各種管路内を、給水管路内を含めて、自動的に消毒することのできる内視鏡洗浄消毒装置が開示されている。
【００１１】
特許文献１に開示された内視鏡洗浄消毒装置においては、洗浄消毒槽に対して該槽内の液体を循環させる、流液ポンプを具備する循環管路及び該循環管路に連通する流液管路が設けられているとともに、流液管路の中途位置に、流液管路と給水管路の給水フィルタに対する流入側（以下、１次側と称す）とを連通する消毒管路が設けられた構成を有していることにより、洗浄消毒装置に対して、消毒液を流液ポンプによって、循環管路及び流液管路を介して循環させると、消毒管路にも消毒液が供給され、その結果、給水管路内をも消毒することができる。
【特許文献１】特開２００６−２３９３１３号公報
【発明の開示】
【発明が解決しようとする課題】
【００１２】
ところで、給水フィルタは、水道水の除菌効果を一定のレベルに保つため、例えば１ヶ月毎等、定期的に交換する必要がある。尚、給水フィルタを交換する際には、給水管路からフィルタケースを脱却し、該フィルタケースから給水フィルタを脱却し、その後それぞれを装着することにより行う。
【００１３】
また、給水フィルタ交換の際に、給水管路内に、大気中の雑菌が入り込んでしまう場合があることから、例えば、１ヶ月毎の給水フィルタ交換後には、給水フィルタの交換のみならず、上述したように、給水管路内をユーザにより消毒する必要が生じる。
【００１４】
しかしながら、特許文献１に開示された洗浄消毒装置においては、給水管路内を自動的に消毒できる構成は有しているが、消毒の前、例えば給水フィルタを交換する際に給水管路内に残留している水道水を自動的に排水する構成は有していない。
【００１５】
このため、給水管路内の消毒を開始するため消毒液を供給すると、給水管路内に残留している水道水により、消毒液が大幅に希釈されてしまい、消毒に時間がかかってしまう他、大量の消毒液が必要になってしまうといった問題がある。
【００１６】
よって、給水管路内を消毒する前に、給水管路内に残留している水道水を排水する必要があるが、給水フィルタを交換する際に行うと、フィルタケースが該フィルタケース内に残留している水道水のため重くなっているため、ユーザが交換し難い他、給水管路内に残留している水道水が漏れ出てしまうことから、漏れ出た水道水がユーザの手にかかってしまう場合があった。
【００１７】
このような事情に鑑み、給水管路内を消毒する前に、フィルタケースの水抜きポート及びエア抜きポートに、それぞれチューブを接続し、エア抜きポートから大気開放を行うことにより、給水管路内に残留している水道水を、水抜きポートから、自重により排出する手法も考えられる。
【００１８】
しかしながら、各ポートにチューブを接続する手間がかかるとともに、水道水の排出に時間がかかってしまう他、さらに、水抜きポートから排出した水道水を排水するのに、別途排水設備等を用意しなければならないといった問題があった。
【００１９】
尚、以上のことは、給水管路の消毒後に、給水管路内に残留する消毒液を排液する場合であっても同様である。
【００２０】
具体的には、消毒液の排液を、給水管路からフィルタケースを脱却する際行うと、消毒液がユーザの手にかかってしまうといった問題もある。
【００２１】
また、給水管路内に消毒液が残留したまま給水管路内を濯いでしまうと、濯ぎに時間がかかってしまうばかりか大量の濯ぎ水が必要となってしまう他、残留している消毒液は、濯ぎ水により希釈されてしまうため、回収することができないことから排液せざるを得ず、排液してしまうと、消毒液の全体量が減液してしまう。
【００２２】
本発明の目的は、上記事情に鑑みてなされたものであり、給水管路内に残留する液体を、別途処理することなく、短時間にて自動的に回収または排液することができるとともに、給水管路内を、短時間にて自動的に消毒することができる内視鏡洗浄消毒装置、及び内視鏡洗浄消毒装置の装置内管路の消毒方法を提供するにある。
【課題を解決するための手段】
【００２３】
上記目的を達成するため本発明による内視鏡洗浄消毒装置は、内視鏡を自動的に洗浄消毒する内視鏡洗浄消毒装置であって、水道水を濾過処理するフィルタ及び開閉自在な第１の弁が介装された、内視鏡が配置される洗浄消毒槽に少なくとも前記水道水を供給する給水管路と、第１のポンプが介装され、該第１のポンプの駆動により、薬液タンクから前記洗浄消毒槽に消毒液を供給する薬液管路と、開閉自在な第２の弁及び自吸式の第２のポンプが介装され、前記洗浄消毒槽内の少なくとも前記水道水と消毒液とエアとのいずれかを、前記第２のポンプの駆動により前記洗浄消毒槽に対して循環させる循環用管路と、前記循環用管路の前記第２のポンプの流出側と前記給水管路の前記フィルタに対する流入側とを連通する消毒用管路と、前記洗浄消毒槽に設けられた第１の排水口と前記薬液タンクとを連通する薬液回収管路と、第３のポンプが介装されるとともに、前記第１の排水口と装置本体における第２の排水口とを連通し、前記第３のポンプの駆動により前記洗浄消毒槽内の少なくとも前記消毒液と前記水道水とのいずれかを前記装置本体外に排水する排水管路と、前記第１の排水口に設けられた、該第１の排水口を、前記薬液回収管路と前記排水管路とのいずれかと連通させるよう切り替えるとともに開閉自在な第３の弁と、前記給水管路内に対して、前記循環用管路及び前記消毒用管路を介して前記洗浄消毒槽内の前記水道水と前記消毒液と前記エアとのいずれかを供給し、前記給水管路の水抜き、消毒、濯ぎのいずれかを行うととともに、前記給水管路から排出された前記洗浄消毒槽内の少なくとも前記水道水と前記消毒液とのいずれかを、前記薬液回収管路を介して前記薬液タンクに回収するか前記排水管路を介して前記第２の排水口から排水するかのいずれかを行う第１のプログラムを備え、該第１のプログラムに応じて前記各弁の開閉または切替制御及び前記各ポンプの駆動制御を行う制御部と、を前記装置本体内に具備することを特徴とする。
【００２４】
また、上記目的を達成するため本発明による内視鏡洗浄消毒装置の装置内管路の消毒方法は、請求項１に記載の内視鏡洗浄消毒装置の装置内管路の消毒方法において、前記制御部は、前記第２のポンプを駆動して、前記洗浄消毒槽内のエアを、前記循環用管路、前記消毒用管路を介して、前記給水管路の前記フィルタに対する前記流入側に流入させ、前記給水管路内に滞留していた前記水道水を前記洗浄消毒槽に対して排出し、前記第３の弁を切り替えるとともに前記第３のポンプを駆動して、前記洗浄消毒槽の前記水道水を、前記排水管路を介して前記第２の排水口から排水する給水管路水抜き工程と、前記第３の弁を閉成し、前記第１のポンプを駆動して、前記薬液タンクから前記薬液管路を介して前記洗浄消毒槽に前記消毒液を供給し、前記第２のポンプを駆動することにより、前記消毒液を、前記循環用管路、前記消毒用管路を介して、前記給水管路の前記フィルタに対する前記流入側に流入させ、前記給水管路内を消毒する給水管路消毒工程と、前記第１のポンプ及び前記第２のポンプを停止させ、設定時間経過後、前記第２のポンプを再度駆動して、前記洗浄消毒槽内のエアを、前記循環用管路、前記消毒用管路を介して、前記給水管路の前記フィルタに対する前記流入側に流入させ、前記給水管路内に滞留していた前記消毒液を前記洗浄消毒槽に対して排出し、前記第３の弁を開成するとともに切り替えて、前記洗浄消毒槽の前記消毒液を、前記薬液回収管路を介して前記薬液タンクに回収する消毒液回収工程と、前記第１の弁を開成し、前記洗浄消毒槽に前記水道水を供給し、前記水道水を、前記循環用管路、前記消毒用管路を介して、前記給水管路の前記フィルタに対する前記流入側に流入させ、前記給水管路内を濯いで、前記洗浄消毒槽に排出した後、前記第３の弁を切り替るとともに前記第３のポンプを駆動して、前記洗浄消毒槽の前記水道水を、前記排水管路を介して前記第２の排水口から排水する給水管路濯ぎ工程と、を行う前記第１のプログラムを実行することを特徴とする。
【発明の効果】
【００２５】
本発明によれば、給水管路内に残留する液体を、別途処理することなく、短時間にて自動的に回収または排液することができるとともに、給水管路内を、短時間にて自動的に消毒することができる内視鏡洗浄消毒装置、及び内視鏡洗浄消毒装置の装置内管路の消毒方法を提供することができる。
【発明を実施するための最良の形態】
【００２６】
以下、図面を参照して本発明の実施の形態を説明する。  
図１は、本実施の形態を示す内視鏡洗浄消毒装置の斜視図、図２は、図１のトップカバーが開放され、洗浄消毒槽に内視鏡が収納自在な状態を示す内視鏡洗浄消毒装置の斜視図である。
【００２７】
同図に示すように、内視鏡洗浄消毒装置１は、使用済みの内視鏡１００を洗浄、消毒するための装置であり、装置本体２と、その上部に、例えば図示しない蝶番を介して開閉自在に接続された蓋体であるトップカバー３とにより、主要部が構成されている。
【００２８】
図１に示すように、トップカバー３が、装置本体２に閉じられている状態では、装置本体２とトップカバー３とは、装置本体２及びトップカバー３の互いに対向する位置に配設された、例えばラッチ８により固定される構成となっている。
【００２９】
装置本体２の操作者が近接する図中前面（以下、前面と称す）であって、例えば左半部の上部に、洗剤／アルコールトレー１１が、装置本体２の前方へ引き出し自在に配設されている。
【００３０】
洗剤／アルコールトレー１１には、内視鏡１００を洗浄する際に用いられる液体である洗浄剤が貯留された洗剤タンク１１ａと、洗浄消毒後の内視鏡１００を乾燥する際に用いられる液体であるアルコールが貯留されたアルコールタンク１１ｂとが収納されており、洗剤／アルコールトレー１１が引き出し自在なことにより、各タンク１１ａ、１１ｂに、所定に液体が補充できるようになっている。
【００３１】
尚、洗剤／アルコールトレー１１には、２つの窓部１１ｍが設けられており、該窓部１１ｍにより、各タンク１１ａ、１１ｂに注入されている洗浄剤及びアルコールの残量が操作者によって確認できるようになっている。この洗浄剤は、後述する給水フィルタ１７（図５参照）により濾過処理がされた水道水により所定の濃度に希釈される濃縮洗剤である。本実施の形態では、以下の説明において、前記洗浄剤と前記水道水との混合液を洗浄液という。
【００３２】
また、装置本体２の前面であって、例えば右半部の上部に、カセットトレー１２が、装置本体２の前方へ引き出し自在に配設されている。カセットトレー１２には、内視鏡１００を消毒する際に用いる、液体である、例えば過酢酸等の消毒液が注入された薬液ボトル１２ａが収納されており、カセットトレー１２が、引き出し自在なことにより、薬液ボトル１２ａを所定にセットできるようになっている。
【００３３】
さらに、装置本体２の前面であって、カセットトレー１２の上部に、洗浄消毒時間の表示や、消毒液を加温するための指示釦等が配設されたサブ操作パネル１３が配設されている。また、装置本体２の図中前面の下部に、装置本体２の上部に閉じられているトップカバー３を、操作者の踏み込み操作により、図２に示すように、装置本体２の上方に開くためのペダルスイッチ１４が配設されている。
【００３４】
また、図２に示すように、装置本体２の上面の、例えば操作者が近接する前面側の両端寄りに、装置本体２の洗浄、消毒動作スタートスイッチ、及び洗浄、消毒モード選択スイッチ等の設定スイッチ類が配設されたメイン操作パネル２５が設けられている。
【００３５】
また、装置本体２の上面であって、操作者が近接する前面に対向する背面側に、装置本体２に水道水を供給するための、後述する水道蛇口５（図５参照）に接続された後述する給水ホース３１ａ（図５参照）が接続される給水ホース接続口３１が配設されている。尚、給水ホース接続口３１に、水道水を濾過するメッシュフィルタが配設されていてもよい。
【００３６】
さらに、装置本体２の上面の略中央部に、内視鏡収納口をトップカバー３によって開閉される、内視鏡１００が収納自在な洗浄消毒槽４が設けられている。洗浄消毒槽４は、槽本体５０と該槽本体５０の内視鏡収納口の外周縁に連続して周設されたテラス部５１とにより構成されている。
【００３７】
槽本体５０は、使用後の内視鏡１００が洗浄消毒される際、該内視鏡１００が収納自在であり、槽本体５０の槽内の面である底面５０ｔには、槽本体５０に供給された洗浄液、水、アルコール、消毒液等を槽本体５０から排水するための第１の排水口５５が設けられている。
【００３８】
また、槽本体５０の槽内の面である周状の側面５０ｓの任意の位置に、槽本体５０に供給された洗浄液、水、消毒液等を、槽本体５０を、後述する手段を介して内視鏡１００の内部に具備された各管路に供給する、またはメッシュフィルタ等を介し、後述する給水循環ノズル２４から槽本体５０に再度上記液体を供給するための循環口５６が設けられている。尚、循環口には、洗浄液等を濾過するメッシュフィルタが設けられていても良い。
【００３９】
尚、上述した循環口５６は、槽本体５０の底面５０ｔに設けられていてもよい。循環口５６が槽本体５０の底面５０ｔに設けられていれば、内視鏡１００の各管路、または再度槽本体５０への、洗浄液、水、消毒液等の供給タイミングを早めることができる。さらに、ユーザが循環口５６に設けられたメッシュフィルタ等を交換するに際し、底面に設けられていると、操作者がアプローチしやすくなるといった利点がある。
【００４０】
洗浄消毒槽４の槽本体５０には、さらに、後述する超音波振動子５２と、ヒータ５３（いずれも図５参照）とが配設されており、槽本体５０の底面５０ｔの略中央部に、洗浄ケース６が配設されている。この超音波振動子５２は、洗浄消毒槽４に貯留される洗浄水、或いは水道水に振動を与えて、内視鏡１００の外表面を超音波洗浄、或いは濯ぐものである。また、ヒータ５３は、洗浄消毒槽４内に貯留される洗浄液、水道水等を所定の温度に加温するためのものである。
【００４１】
洗浄ケース６には、内視鏡１００の各スコープスイッチ等のボタン類、内視鏡１００に併設されている取り外し可能な部品が収容される。その結果、各ボタン類及び取り外した部品は、内視鏡１００と一緒に洗浄、消毒される。
【００４２】
槽本体５０の側面５０ｓの任意の位置に、槽本体５０に供給された洗浄液、水、消毒液等の水位を検出するカバー付き水位センサ３２が設けられている。  
テラス部５１のテラス面５１ｔ以外の面、即ち槽本体５０の底面５０ｔと平行な面に、槽本体５０に対し、洗剤タンク１１ａから、後述する洗剤用ポンプ４０（図５参照）により、水道水により所定の濃度に希釈される洗浄剤を供給するための洗剤ノズル２２及び、後述する薬液タンク５８（図５参照）から、後述する薬液ポンプ６５（図５参照）により、消毒液を供給するための消毒液ノズル２３が配設されている。
【００４３】
さらに、テラス部５１の槽本体５０の底面５０ｔと平行な面に、槽本体５０に対し、給水するための、または槽本体５０の循環口５６から吸引した洗浄液、水、消毒液等を、再度槽本体５０に供給するための給水循環ノズル２４が配設されている。
【００４４】
尚、洗剤ノズル２２、消毒液ノズル２３及び給水循環ノズル２４は、テラス面５１ｔに配設されていても良い。
【００４５】
また、テラス部５１のテラス面５１ｔの操作者近接位置４ｋに対向する側の面５１ｆに、内視鏡１００の内部に具備された管路に、洗浄液、水、アルコール、消毒液、またはエア等を供給するための複数、ここでは２つの送気送水／鉗子口用ポート３３と、鉗子起上用ポート３４と、漏水検知用ポート３５とが配設されている。
【００４６】
次に、図３及び図４を参照して、上述したメイン操作パネル２５及びサブ操作パネル１３について説明する。図３は、図１の内視鏡洗浄消毒装置のメイン操作パネルを示す平面図、図４は、図１の内視鏡洗浄消毒装置のサブ操作パネルを示す平面図である。
【００４７】
図３に示すように、メイン操作パネル２５には、図３中右方下側に、内視鏡洗浄消毒装置１の駆動及び停止するためのスタートボタン２５ａ及びストップボタン２５ｂが配設されている。また、メイン操作パネル２５には、ストップボタン２５ｂの左側から順に内視鏡のアルコールフラッシュを行うためのボタン２５ｃと、内視鏡の漏水検知を行うボタン２５ｄが配設されている。これらのボタン２５ｃ、２５ｄの上側には、アルコールフラッシュ又は漏水検知の各駆動時に識別できるように、点灯するＬＥＤなどの発光体が配設されている。
【００４８】
メイン操作パネル２５の略中央には、コード表示部２５ｆと、装置の駆動時間を表示する時間表示部２５ｇが配設されている。メイン操作パネル２５の各表示部２５ｆ、２５ｇの右上方の位置には、プログラム選択ボタン２５ｅが配設され、このプログラム選択ボタン２５ｅの操作によりプログラムナンバーを表示するプログラム表示部２５ｈが配設されている。また、これらプログラム選択ボタン２５ｅ及びプログラム表示部２５ｈの上方には、洗浄工程、消毒工程及び濯ぎ工程の各工程を、ＬＥＤなどの発光体が点灯することにより、ユーザが目視により確認できる工程表示部２５ｉが設けられている。
【００４９】
図４に示すように、サブ操作パネル１３には、図４中下側に複数の操作ボタンが配設されている。具体的には、図４中において、左側から順に、オートスタートボタン１３ａ、送気ボタン１３ｂ、消毒液加温ボタン１３ｃ、給水管路消毒ボタン１３ｄ、全管路消毒ボタン１３ｅ、消毒液排出ボタン１３ｆ及び消毒液調合ボタン１３ｇが配設されている。
【００５０】
これらのボタン上方には、図４中において左から順にプログラムナンバー表示部１３ｊ、洗浄時間表示部１３ｋ、消毒時間表示部１３ｌ、消毒液使用回数表示部１３ｍが配設されており、それら表示部の更に図４中右側に選択設定ボタン１３ｈ及びセットボタン１３ｉが配設されている。
【００５１】
通常において、本実施の形態の内視鏡洗浄消毒装置１は、ユーザによるメイン操作パネル２５の操作により、使用済みの内視鏡１００を洗浄／消毒する場合、プログラム選択ボタン２５ｅの操作とスタートボタン２５ａの操作により、予め設定された制御部７０（図５参照）内の洗浄／消毒プログラムによって動作を行う。この洗浄／消毒プログラムは、ユーザにより任意に洗浄時間、消毒時間などを設定することが可能であり、その設定を行う際にサブ操作パネル１３の各種ボタンにより行われる。
【００５２】
また、本実施の形態の内視鏡洗浄消毒装置１は、サブ操作パネル１３に設けられた給水管路消毒ボタン１３ｄ及び全管路消毒ボタン１３ｅのＯＮ操作により、制御部７０内のプログラム制御（図５参照）により、装置内部の各管路の消毒が行える。この装置内部の各管路の消毒については、後に詳しく説明する。
【００５３】
次に、図５に基づいて、本実施の形態の内視鏡洗浄消毒装置１の内部構成について説明する。図５は、図１の内視鏡洗浄消毒装置の内部構成を示す図である。
【００５４】
図５に示すように、内視鏡洗浄消毒装置１は、給水ホース接続口３１が給水ホース３１ａの一端と接続され、この給水ホース３１ａの他端が外部の水道蛇口５に接続されることにより、水道水が供給される構成を有している。
【００５５】
給水ホース接続口３１は、給水管路９の一端と連通している。この給水管路９は、他端が三方電磁弁１０に接続されており、管路の中途において、給水ホース接続口３１側から順に、第１の弁である給水電磁弁１５と、逆止弁１６と、給水フィルタ１７とが介装されている。
【００５６】
尚、給水フィルタ１７は、定期的に交換できるように、カートリッジタイプの濾過フィルタとして構成されており、フィルタケース１７０に装脱自在となっている。給水フィルタ１７は、通過する水道水の異物、雑菌等を除去する。
【００５７】
三方電磁弁１０は、流液管路１８の一端と接続されており、給水循環ノズル２４に対する給水管路９と流液管路１８との連通を内部の弁によって切り替える。つまり、給水循環ノズル２４は、三方電磁弁１０の切り替え動作により、給水管路９と流液管路１８とのいずれか一方と連通する。また、流液管路１８の他端側には、液体のみを移送することができる、前記液体の移送能力に優れた非自吸式のポンプである流液ポンプ１９が介装されている。
【００５８】
洗浄消毒槽４に配設された循環口５６は、循環用管路を構成する循環管路２０の一端に接続されている。循環管路２０の他端は、流液管路１８の他端及び循環用管路を構成するチャンネル管路２１の一端と連通するように、２つに分岐している。チャンネル管路２１の他端は、上述した各送気送水／鉗子口用ポート３３に連通している（尚、図５においては、各送気送水／鉗子口用ポート３３は１つのみ図示している）。また、図示しないが、チャンネル管路２１の他端は、上述した鉗子起上用ポート３４にも連通している。
【００５９】
チャンネル管路２１は、管路の中途において、前記一端側から順に、第２のポンプであるチャンネルポンプ２６、第４の弁である三方電磁弁１５０、チャンネルブロック２７、第２の弁であるチャンネル電磁弁２８がそれぞれ介装されている。チャンネルブロック２７とチャンネル電磁弁２８の間におけるチャンネル管路２１には、洗浄ケース６と一端が接続しているケース用管路３０の他端が接続されている。このケース用管路３０には、リリーフ弁３６が介装されている。
【００６０】
尚、チャンネルポンプ２６は、液体と気体とをどちらも、非自吸式ポンプよりも高圧で移送することができる自吸式のポンプから構成されている。尚、チャンネルポンプ２６を自吸式のポンプで構成したのは、内視鏡１００が具備する内視鏡管路内に対し、確実に、洗浄、消毒、濯ぎ等を行うため、チャンネル管路２１を介しポート３３から内視鏡管路内に、洗浄液、消毒液、水道水、エア等を高圧で送り込む必要があるためである。
【００６１】
また、チャンネル管路２１のチャンネルポンプ２６の流出側において接続された切り替え自在な三方電磁弁１５０には、消毒用管路１６０の一端が接続されており、この消毒用管路１６０の他端は給水フィルタ１７と逆止弁１６との間において、給水管路９の給水フィルタ１７に対する流入側（以下、１次側と称す）に接続されている。
【００６２】
洗剤ノズル２２は、洗浄剤管路３９の一端と接続されており、洗浄剤管路３９の他端は、洗剤タンク１１ａに接続されている。この洗浄剤管路３９には、その中途に、洗浄剤を洗剤タンク１１ａから洗浄消毒槽４まで持ち上げるため高圧の自吸式のポンプから構成された洗剤用ポンプ４０と、センサ１５１とが介装されている。
【００６３】
センサ１５１は、後述する制御部７０に駆動制御され、洗浄剤管路３９を通過する洗浄剤の流れを検知する。このことにより、制御部７０は、センサ１５１により、洗浄剤が適切に供給されていないと検知された場合に、ユーザに対し、図示しない警告手段を介して警告を発する。
【００６４】
アルコールタンク１１ｂは、アルコール管路４１の一端と接続されており、このアルコール管路４１はチャンネル管路２１と所定に連通するように、チャンネルブロック２７に接続されている。
【００６５】
このアルコール管路４１には、センサ１５２と、アルコールをアルコールタンク１１ｂから洗浄消毒槽４まで持ち上げるため高圧の自吸式のポンプから構成されたアルコール供給ポンプ４２と、電磁弁４３とが介装されている。
【００６６】
センサ１５２は、後述する制御部７０に駆動制御され、アルコール管路４１を通過するアルコールの流れを検知する。このことにより、制御部７０は、センサ１５２により、アルコールが適切に供給されていないと検知された場合に、ユーザに対し、図示しない警告手段を介して警告を発する。
【００６７】
また、チャンネルブロック２７には、気体を移送することができる自吸式ポンプから構成されたエアポンプ４５からの空気を供給するためのエア管路４４の一端が所定にチャンネル管路２１と連通するように接続されている。このエア管路４４は、他端が前記エアポンプ４５に接続されており、エア管路４４の中途位置には、逆止弁４７と、定期的に交換されるエアフィルタ４６とが介装されている。
【００６８】
洗浄消毒槽４の第１の排水口５５には、弁の切り替え動作により、外部へ洗浄液等を排出したり、薬液タンク５８に消毒液を回収したりするための開閉自在な第３の弁である切替弁５７が配設されている。
【００６９】
切替弁５７は、第２の排水口である外部排水口へ接続される不図示の排水ホースと一端が接続されて連通する排水管路５９の他端と接続されており、この排水管路５９には、非自吸式のポンプから構成された第３のポンプである排水ポンプ６０が介装されている。また、切替弁５７は、薬液回収管路６１の一端と接続され、この薬液回収管路６１の他端は薬液タンク５８に接続されている。
【００７０】
薬液タンク５８は、薬液ボトル１２ａからの消毒液が供給されるように、薬液供給管路６２の一端とも接続されている。この薬液供給管路６２の他端は、カセットトレー１２に所定に接続されている。
【００７１】
また、薬液タンク５８内には、一端に吸引フィルタ６３が設けられた薬液管路６４の前記一端部分が所定に収容されている。この薬液管路６４は、他端が消毒液ノズル２３に接続されており、中途位置に、消毒液を薬液タンク５８から洗浄消毒槽４まで持ち上げるため高圧の自吸式のポンプから構成された第１のポンプである薬液ポンプ６５が介装されている。  
尚、洗浄消毒槽４の底面５０ｔの下部には、上述したように、例えば２つの超音波振動子５２と、ヒータ５３とが配設されている。また、ヒータ５３の温度調節のため、洗浄消毒槽４の底面５０ｔの略中央には、温度検知センサ５３ａが設けられている。
【００７２】
このヒータ５３は、洗浄消毒槽４内に貯留され、装置内を循環する消毒液を所定の温度に加温するためのものである。尚、消毒液には、その消毒効果が最も期待できる適正温度がある。この適正温度である前記所定の温度までヒータ５３によって加温された消毒液は、内視鏡１００、及び装置本体２内の各管路を有効的に消毒することができる。
【００７３】
また、温度検知センサ５３ａは、洗浄消毒槽４内に貯留され、装置内を循環する消毒液の液温を検知し、その検知結果を制御部７０へと伝達する。そして、制御部７０は、温度検知センサ５３ａからの検知結果に基づいて、前記消毒液を前記所定の温度に保つように、ヒータ５３を駆動、停止する制御を行う。
【００７４】
また、内視鏡洗浄消毒装置１の内部には、外部のＡＣコンセントから電力が供給される電源７１と、この電源７１と電気的に接続される制御部７０が設けられている。この制御部７０は、図３及び図４に示したメイン操作パネル２５及びサブ操作パネル１３からの各種信号が供給され、上述した各ポンプ、各電磁弁などを駆動制御する。
【００７５】
特に、制御部７０は、少なくとも給水管路９内に対して、循環管路２０、チャンネル管路２１及び消毒用管路１６０を介して、後述する水抜き、消毒、濯ぎを行うととともに、洗浄消毒槽４内の少なくとも水道水と消毒液とのいずれかを、薬液回収管路６１を介して薬液タンク５８に回収するか排水管路５９を介して外部排水口から排水するかのいずれかを行う第１のプログラムである給水管路消毒プログラムを備えており、該給水管路消毒プログラムに応じて、各弁及び各ポンプに対し、後述する駆動制御を行う。
【００７６】
また、制御部７０は、内視鏡洗浄消毒装置１内の全管路内を消毒する全管路消毒プログラムや、ポート３３にチューブを介して接続された内視鏡１００の内視鏡管路を洗浄消毒する第２のプログラムである内視鏡洗浄消毒プログラムも具備している。
【００７７】
次に、以上のように構成された本実施の形態の内視鏡洗浄消毒装置１の作用について説明する。  
尚、内視鏡洗浄消毒装置１の作用は、給水フィルタ１７を交換する際の給水管路９内の水抜き、消毒、濯ぎの際の作用について説明する。尚、その他の装置本体２内の各管路内の洗浄消毒する際の作用や、内視鏡１００の外表面及び内視鏡１００が具備する内視鏡管路内を洗浄消毒する際の作用は、周知であるため、その説明は省略する。
【００７８】
先ず、ユーザにより、給水管路消毒ボタン１３ｄ（図４参照）が押下されると、制御部７０は、洗浄消毒槽４内に液体が供給されていない状態で、給水管路消毒プログラムを実行して給水管路水抜き工程を行う。
【００７９】
具体的には、先ず、制御部７０は、三方電磁弁１５０を、消毒用管路１６０側に連通するよう切り替えるとともに、三方電磁弁１０を、給水管路９側に切り替えた後、自吸式のチャンネルポンプ２６を駆動する。
【００８０】
次いで、洗浄消毒槽４内のエアは、循環口５６、循環管路２０、チャンネル管路２１、三方電磁弁１５０、消毒用管路１６０を介して、給水管路９の１次側へと流入し、その結果、給水管路９及びフィルタケース１７０内に残留している水道水は、エアにより、給水管路９の給水フィルタ１７に対する流出側（以下、２次側と称す）を介して、給水循環ノズル２４から、洗浄消毒槽４へと排水される。
【００８１】
次いで、制御部７０は、切替弁５７を開成し、第１の排水口５５が排水管路５９側に連通するよう切り替えた後、排水ポンプ６０を駆動して、水道水を洗浄消毒槽４から、第１の排水口５５、排水管路５９を介して、外部排水口から排水する。その後、切替弁５７を閉成する。
【００８２】
その後、給水管路消毒プログラムの実行は、例えば、ユーザにより、給水管路消毒ボタン１３ｄが押下されることにより、一時停止され、ユーザにより、給水管路９からフィルタケース１７０を取り外し、さらにフィルタケース１７０から給水フィルタ１７を取り外し、新しい給水フィルタ１７をフィルタケース１７０に装着した後、フィルタケース１７０を給水管路９に装着する。
【００８３】
次いで、給水フィルタ１７の交換後は、再度、ユーザは、給水管路消毒ボタン１３ｄを押下することにより、制御部７０は、給水管路消毒プログラムを実行して給水管路９内を消毒する給水管路消毒工程を行う。尚、フィルタ交換後に、給水管路９内の消毒を行うのは、給水フィルタ１７の交換の際、大気中の雑菌が、給水管路９内に進入してしまうからである。
【００８４】
具体的には、先ず、制御部７０は、薬液ポンプ６５を駆動して、薬液タンク中の消毒液を、薬液管路６４、消毒液ノズル２３を介して、洗浄消毒槽４に供給する。尚、この後、消毒液は、ヒータ５３により、消毒に適した温度に加温されても構わない。
【００８５】
その後、チャンネルポンプ２６の駆動により、洗浄消毒槽４内の消毒液は、循環口５６、循環管路２０、チャンネル管路２１、三方電磁弁１５０、消毒用管路１６０を介して、給水管路９の１次側へと流入し、給水管路９の２次側を経て、給水循環ノズル２４から、再度、洗浄消毒槽４内に供給される。その結果、給水管路９及びフィルタケース１７０内は、消毒液により満たされる。
【００８６】
次いで、制御部７０は、薬液ポンプ６５及びチャンネルポンプ２６を停止させる。その結果、給水管路９内は、満たされた消毒液により十分消毒される。
【００８７】
次いで、制御部７０は、給水管路消毒プログラムを実行して消毒液回収工程を行う。具体的には、給水管路９内の消毒後、制御部７０は、切替弁５７を開成し、第１の排水口５５が薬液回収管路６１側に連通するよう切り替えて、洗浄消毒槽４内の消毒液を、薬液回収管路６１を介して薬液タンク５８に全て回収した後、チャンネルポンプ２６を再度駆動させる。尚、この際、洗浄消毒槽４内は、液体が何も貯留されていない状態となる。
【００８８】
この状態でチャンネルポンプ２６を駆動することにより、洗浄消毒槽４内のエアは、循環口５６、循環管路２０、チャンネル管路２１、三方電磁弁１５０、消毒用管路１６０を介して、給水管路９の１次側へと流入し、給水管路９内に残留している消毒液は、エアにより、給水管路９の２次側を介して給水循環ノズル２４から、洗浄消毒槽４内に排液され、その後、薬液回収管路６１を介して薬液タンク５８に回収される。
【００８９】
次いで、制御部７０は、給水管路消毒プログラムを実行して給水管路濯ぎ工程を行う。具体的には、制御部７０は、給水電磁弁１５を開成し、水道水を、給水管路９を介して給水循環ノズル２４から洗浄消毒槽４に供給する。尚、この際、切替弁５７は閉成する。
【００９０】
その後、洗浄消毒槽４内の水道水は、循環口５６、循環管路２０、チャンネル管路２１、三方電磁弁１５０、消毒用管路１６０を介して、給水管路９の１次側へと流入し、給水管路９内は、水道水により濯がれる。
【００９１】
次いで、制御部７０は、切替弁５７を開成し、第１の排水口５５が排水管路５９に連通するよう切り替えることにより、吸水管路９の２次側を介して給水循環ノズル２４から、洗浄消毒槽４内に排水された濯ぎに用いられた水道水は、その後、排水ポンプ６０の駆動により、排水管路５９を介して、外部排水口から装置本体２外に排水される。
【００９２】
このように、本実施の形態においては、洗浄消毒槽４に対して洗浄液、消毒液、水道水等を循環させる循環用管路を構成するチャンネル管路２１の中途位置に、自吸式のポンプから構成されたチャンネルポンプ２６が介装されているとともに、チャンネル管路２１のチャンネルポンプ２６の流出側に、給水管路９の１次側とチャンネル管路２１のチャンネルポンプ２６の流出側とを連通させる消毒用管路１６０が接続され、さらに、チャンネル管路２１の消毒用管路１６０が接続された位置に、三方電磁弁１５０が介装されていると示した。
【００９３】
また、給水フィルタ１７を交換するに当たり、制御部７０は、消毒管路消毒プログラムを実行し、先ず、給水管路９内に残留している水道水を、消毒用管路１６０を介したエアの送気により水抜きする給水管路水抜き工程を行い、その後、給水フィルタ１７が交換された後、給水管路９内を、消毒用管路１６０を介した消毒液の供給により消毒する給水管路消毒工程を行い、その後、給水管路９内の消毒液の回収を、消毒用管路１６０を介したエアの送気により行う消毒管路回収工程を行い、最後に、給水管路９内を、消毒用管路１６０を介した水道水の供給により濯ぐ給水管路濯ぎ工程を行うと示した。
【００９４】
このことによれば、給水フィルタ１７を交換する際、自動的に、給水管路９内に残留している水道水を排水することができるため、上述した従来のように、フィルタケース１７０のポートにチューブを接続して、水道水を排出する必要がなくなることから、短時間で、給水管路９内の水抜きができるとともに、水抜きされた水道水は、内視鏡洗浄消毒装置１が有する排水管路５９により排水されるため、別途排水設備等を用意する必要がなくなる。
【００９５】
また、給水フィルタ１７交換後は、自動的に給水管路９内の消毒を行うことができるとともに、消毒後、給水管路９内に残留する消毒液を排液する際、消毒液の回収を、内視鏡洗浄消毒装置１が有する薬液回収管路６１を用いて自動的に薬液タンクに短時間で回収することができるため、濯ぎの際、水道水とともに、消毒液を排液してしまうことがないことから、消毒液の全体量が減ってしまうことがない。また、消毒液が排液された給水管路９内の濯ぎを、消毒液の排液後行うため、従来よりも短時間かつ少量の水道水で行うことができる。
【００９６】
以上から、給水管路９内に残留する液体を、別途処理することなく、短時間にて自動的に回収または排液することができるとともに、給水管路９内を短時間にて自動的に消毒することができる内視鏡洗浄消毒装置及び内視鏡洗浄消毒装置の装置内管路の消毒方法を提供することができる。
【００９７】
尚、以上説明した本実施の形態においては、給水フィルタ１７の交換の際に行う給水管路９内の消毒方法について説明したが、これに限らず、給水フィルタ１７の交換を行わずに、給水管路消毒ボタン１３ｄがユーザによって押下され、単に、給水管路９内の消毒を行う場合であっても、本実施の形態と同様の作用、効果を得ることができる。
【００９８】
また、制御部７０が内視鏡洗浄消毒プログラムを実行して内視鏡を洗浄消毒する通常の内視鏡洗浄消毒工程において、内視鏡洗浄消毒プログラムに給水管路消毒プログラムを組み込むことにより、本実施の形態における給水管路９内の消毒を、通常の内視鏡洗浄消毒工程とともに行っても構わない。
【００９９】
具体的には、先ず、ユーザは、内視鏡１００を洗浄消毒槽４に収納した後、内視鏡が具備する内視鏡管路管路と上述したポート３３とをチューブ等で接続し、トップカバー３を閉成する。その後、メイン操作パネル２５のスタートボタン２５ａを押下する。
【０１００】
尚、この際、鉗子起上用ポート３４を使用する内視鏡の場合は、内視鏡管路と鉗子起上用ポート３４とを、チューブ等で接続する必要が生じるが、鉗子起上用ポート３４は、送気送水／鉗子口用ポート３３と同等の機能を有することから、以下、鉗子起上用ポート３４については、記載を省略する。
【０１０１】
その結果、制御部７０により、給水管路消毒プログラムが組み込まれた内視鏡洗浄消毒プログラムが実行され、周知の内視鏡１００の外表面及び内視鏡管路に対する洗浄工程が、行われる。
【０１０２】
具体的には、洗剤ノズル２２からの洗浄剤の供給及び三方電磁弁１０を給水管路９側に切り替えた後の給水循環ノズル２４からの水道水の供給により、洗浄消毒槽４内に、洗浄液を貯留し、チャンネルポンプ２６の駆動に伴う循環管路２０、チャンネル管路２１を介したポート３３からの内視鏡管路への洗浄液の供給、及び三方電磁弁１０を流液管路１８側に切り替えた後の流液ポンプ１９の駆動に伴う循環管路２０、流液管路１８を介した給水循環ノズル２４からの洗浄消毒槽４への洗浄液の供給により、内視鏡１００の外表面及び内視鏡管路に対する洗浄工程が行われる。尚、この際、循環管路２０、チャンネル管路２１、流液管路１８内も洗浄される。また、この際の作用は、周知であるため、その説明は省略する。
【０１０３】
また、この際、制御部７０は、三方電磁弁１５０を、チャンネル管路２１のチャネルポンプ２６の２次側におけるポート３３側のみに連通させておくことにより、洗浄液が、消毒用管路１６０に流れてしまうことがないように駆動制御する。
【０１０４】
その後、洗浄液の供給と同様に、給水循環ノズル２４及びポート３３から水道水が供給されることにより、内視鏡１００の外表面及び各管路に対する周知の濯ぎ工程が行われた後、制御部７０は、切替弁５７を開成し、排水管路５９側に切り替えるとともに排水ポンプ６０を駆動した後、濯ぎに用いた水を、洗浄消毒槽４から、排水管路５９を介して、外部排水口から装置本体２外に排出する。即ち、洗浄消毒槽４内の液体は、全て排出される。
【０１０５】
その後、制御部７０は、給水管路消毒プログラムが組み込まれた内視鏡洗浄消毒プログラムを実行して上述した給水管路水抜き工程を行い、給水管路９内に残留する水道水を、上述した方法により水抜きする。
【０１０６】
次いで、制御部７０は、給水管路消毒プログラムが組み込まれた内視鏡洗浄消毒プログラムを実行して、給水管路水抜き工程において消毒用管路１６０側に連通させた三方電磁弁１５０を、ポート３３側に連通するよう切り替えるともに、チャンネル電磁弁２８を開成する。また、切替弁５７を閉成する。さらに、三方電磁弁１０を、流液管路１８側に切り替える。
【０１０７】
さらに、制御部７０は、給水管路消毒プログラムが組み込まれた内視鏡洗浄消毒プログラムを実行して、薬液ポンプ６５を駆動して、薬液タンク中の消毒液を、薬液管路６４、消毒液ノズル２３を介して、洗浄消毒槽４に供給する。尚、この後、消毒液は、ヒータ５３により消毒効果の高い温度に保温される。その後、制御部７０は、流液ポンプ１９及びチャンネルポンプ２６を駆動する。
【０１０８】
その結果、消毒液ノズル２３から供給された消毒液と、流液ポンプ１９により、循環口５６、循環管路２０、流液管路１８を介して、給水循環ノズル２４から洗浄消毒槽４に供給され貯留された消毒液とにより、内視鏡１００の外表面は消毒され、チャンネルポンプ２６により、循環口５６、循環管路２０、チャンネル管路２１を介して、ポート３３を介して内視鏡管路に供給された消毒液により、内視鏡管路内は消毒される。尚、この際、循環管路２０、チャンネル管路２１、流液管路１８内も消毒される。
【０１０９】
その後、制御部７０は、給水管路消毒プログラムが組み込まれた内視鏡洗浄消毒プログラムを実行して上述した給水管路消毒工程を行い、給水管路９内を上述した方法により消毒する。
【０１１０】
次いで、制御部７０は、給水管路消毒プログラムが組み込まれた内視鏡洗浄消毒プログラムを実行して、切替弁５７を開成し、薬液回収管路６１と連通するよう切り替える。その結果、洗浄消毒槽４内の消毒液は、薬液回収管路６１を介して、薬液タンク５８に回収される。
【０１１１】
次いで、制御部７０は、給水管路消毒プログラムが組み込まれた内視鏡洗浄消毒プログラムを実行して上述した消毒液回収工程を行い、その結果、給水管路９内の消毒液は、上述したように、薬液回収管路６１を介して、薬液タンク５８に回収される。
【０１１２】
その後、制御部７０は、給水管路消毒プログラムが組み込まれた内視鏡洗浄消毒プログラムを実行して、給水電磁弁１５を開成し、三方電磁弁１０を、給水管路９側に切り替えて、水道水を、給水管路９を介して給水循環ノズル２４から洗浄消毒槽４に供給する。
【０１１３】
さらに、制御部７０は、三方電磁弁１５０を、ポート３３側に連通するよう切り替えるともに、チャンネル電磁弁２８を開成した後、三方電磁弁１０を流液管路１８側に切り替えて、制御部７０は、給水管路消毒プログラムが組み込まれた内視鏡洗浄消毒プログラムを実行して、流液ポンプ１９及びチャンネルポンプ２６を駆動する。
【０１１４】
その結果、給水循環ノズル２４から水道水と、循環口５６、循環管路２０、流液管路１８を介して、流液ポンプ１９により、給水循環ノズル２４から洗浄消毒槽４に再度供給された水道水とにより、内視鏡１００の外表面は濯がれ、循環口５６、循環管路２０、チャンネル管路２１を介して、チャンネルポンプ２６により、ポート３３から内視鏡管路に供給された水道水により、内視鏡管路内は濯がれる。尚、この際、循環管路２０、チャンネル管路２１、流液管路１８内も濯がれる。
【０１１５】
最後に、給水管路消毒プログラムが組み込まれた内視鏡洗浄消毒プログラムを実行して、上述した給水管路濯ぎ工程を行い、給水管路９内を上述した方法により濯ぐ。
【０１１６】
このように、通常の内視鏡洗浄消毒工程において、給水管路９内の消毒を行っても、即ち、制御部７０が行う内視鏡洗浄消毒プログラムに、給水管路消毒プログラムを組み込んで実行しても、上述した本実施の形態と同様の効果を得ることができるとともに、内視鏡１００の洗浄消毒毎に、給水管路９内の消毒を行うことができるため、本実施の形態よりも、給水管路９内を良好な消毒状態に保つことができるといった効果を有する。
【０１１７】
尚、給水管路消毒プログラムが組み込まれた内視鏡洗浄消毒プログラムを実行する場合、内視鏡の洗浄消毒と、給水管路９内の消毒を同時に行うのではなく、制御部７０は、通常の内視鏡洗浄消毒プログラムを実行して内視鏡の洗浄消毒を行った後、単独で給水管路消毒プログラムを実行して、給水管路９内の消毒を行っても構わない。
【０１１８】
また、それとは、逆に、制御部７０は、単独で給水管路消毒プログラムを実行して、給水管路９内の消毒を行った後、通常の内視鏡洗浄消毒プログラムを実行して内視鏡の洗浄消毒を行っても構わない。
【０１１９】
尚、以下、別の変形例を、図６を用いて示す。図６は、図５とは別の内視鏡洗浄消毒装置の内部構成の変形例を示す図である。
【０１２０】
本実施の形態においては、図５に示すように、チャンネル管路２１のチャンネルポンプ２６の流出側において、三方電磁弁１５０が設けられていることにより、チャンネル管路２１に、該チャンネル管路２１のチャンネルポンプ２６の流出側と給水管路９の１次側とを連通させる消毒用管路１６０が接続されていると示した。
【０１２１】
これに限らず、図６に示すように、チャンネル管路２１に、三方電磁弁１５０を設けずに、チャンネル管路２１のチャンネルポンプ２６の流出側に、給水管路９の１次側に連通する消毒用管路１６０を接続し、消毒用管路１６０の中途位置に、開閉自在な第５の弁である消毒管路電磁弁７７、逆止弁７８を介在させた構成であっても構わない。
【０１２２】
このような構成によれば、給水管路消毒プログラムが組み込まれた内視鏡洗浄消毒プログラムを実行して、上述した内視鏡の消毒工程、給水管路消毒工程、洗浄槽内の消毒液回収工程、給水管路内の消毒液回収工程、内視鏡の濯ぎ工程、給水管路濯ぎ工程を行う場合、制御部７０により、消毒管路電磁弁７７及びチャンネル電磁弁２８を開成すると、チャンネル管路２１のポート３３側と、消毒用管路１６０側との２方向に、消毒液や、水道水が供給される。また、この際、制御部７０は、三方電磁弁１０を流液管路１８側に連通させ、流液用ポンプ１９も駆動させる。
【０１２３】
このことにより、内視鏡の消毒工程と給水管路９内の消毒工程とを同時にできるとともに、洗浄槽内の消毒液回収工程と給水管路９内の消毒液回収工程とを同時にでき、さらには、内視鏡の濯ぎ工程、給水管路９内の濯ぎ工程とを同時に行うことができる。
【０１２４】
よって、図６のように構成すれば、図５の構成を用いて給水管路消毒プログラムが組み込まれた内視鏡洗浄消毒プログラムを実行する場合よりもより早く給水管路消毒プログラムが組み込まれた内視鏡洗浄消毒プログラムを実行することができる。尚、その他の効果は、上述した実施の形態と同様である。
【０１２５】
また、図６の構成を用いる場合、給水管路消毒プログラムが組み込まれた内視鏡洗浄消毒プログラムを実行する場合に限らず、給水管路消毒プログラムのみを実行する場合に適用しても本実施の形態と同様の効果を得ることができる。この場合、制御部７０は、消毒管路電磁弁７７を開成し、チャンネル電磁弁２８を閉成しておけば、チャンネルポンプ２６から送られた、気体または液体は、消毒用管路１６０のみに流れることになる。
【０１２６】
尚、以下、別の変形例を、図７を用いて示す。図７は、図５とはさらに別の内視鏡洗浄消毒装置の内部構成の変形例を示す図である。尚、図７においては、内視鏡洗浄消毒装置の内部構成の一部を省略して示してある。
【０１２７】
本実施の形態においては、チャンネル管路２１のチャンネルポンプ２６の流出側に、三方電磁弁１５０が介装されており、三方電磁弁１５０に、給水管路９の１次側に連通する消毒用管路１６０が接続されていると示した。また、排水ポンプ６０は、非自吸式ポンプから構成されていると示した。
【０１２８】
これに限らず、給水管路９内の自動消毒を行わずに、単に、給水管路９内に残留している水道水を排水するのみを目的とするのであれば、図７に示すように、消毒用管路１６０を設けずに、排水ポンプ６０を、自吸式ポンプから構成し、排水管路５９の中途位置に、三方電磁弁１５５を設けて、該三方電磁弁１５５に、排水管路５９と、給水管路９の１次側とを連通する第２排水管路１５８を設けた構成に、内視鏡洗浄消毒装置１を構成しても構わない。
【０１２９】
この場合、給水管路９内に残留している水道水を排水する際、制御部７０により、三方電磁弁１５５を、外部排水口側に連通させ、排水ポンプ６０を駆動させるのみで、給水管路９内に残留する水道水を排水することができることから、本実施の形態よりも高速かつ短時間で、給水管路９内に残留する水道水を排水することができる。
【０１３０】
尚、図７における本構成においては、三方電磁弁１５０を用いたが、三方電磁弁１５０に限らず、２ポートの電磁弁及び逆止弁を用いた構成であっても、図７における本構成と同様の効果を得ることができる。
【０１３１】
さらに、給水管路９内に残留している水道水を排水するのみを目的とするのであれば、内視鏡洗浄消毒装置は、図８に示す構成であっても構わない。図８は、図５とはさらに異なる別の内視鏡洗浄消毒装置の内部構成の変形例を示す図である。
【０１３２】
図８に示すように、消毒用管路１６０を設けずに、エア管路４４の中途位置から、給水管路９の１次側に連通するエア押し出し管路１８０を設けるとともに、エア押し出し管路１８０の中途位置に、エア押し出し電磁弁１８２、逆止弁１８１が設けられた構成に、内視鏡洗浄消毒装置１を構成しても構わない。
【０１３３】
この場合、給水管路９内に残留している水道水を排水する際、制御部７０は、エア押し出し電磁弁１８２を開成し、エアポンプ４５を駆動し、エア管路４４、エア押し出し管路１８０を介して、給水管路９の１次側にエアを流入させることにより、給水管路９内に残留する水道水を、給水循環ノズル２４から洗浄消毒槽４に排水することができる。
【０１３４】
また、この構成では、自動的に、給水管路９内に消毒液を供給することはできないが、例えばユーザにより、給水管路９にチューブを接続して消毒液を供給した後であれば、図７に示した構成とは異なり、上述したようにエアを供給することにより、自動的に、給水管路９内に残留する消毒液を、給水循環ノズル２４から洗浄消毒槽４に排液することができるとともに、切替弁５７を開成し、薬液回収管路６１側に切り替えることにより、洗浄消毒槽４内に排液した消毒液を自動的に、薬液回収管路６１を介して薬液タンク５８に回収することができる。
【０１３５】
また、洗浄消毒槽４に図示しない吸引ポートを設け、さらに、該吸引ポートと給水管路９の１次側とを連通する管路を設け、前記ポートと、上述したポート３３とを接続する図示しない洗浄用チューブを設ければ、図８に示す構成であっても、給水管路９内に、消毒液を供給することができる。
【０１３６】
さらに、前記洗浄用チューブの接続を、内視鏡管路とポート３３とのチューブ接続に対し邪魔にならないよう行えば、上述したように、通常の内視鏡洗浄消毒工程において、給水管路９内の消毒を行うこともできる。即ち、制御部７０は、本実施の形態同様、給水管路消毒プログラムが組み込まれた内視鏡洗浄消毒プログラムを実行することもできる。
【０１３７】
さらに、給水管路９内に残留している水道水を排水するのみを目的とするのであれば、図９に示す構成であっても構わない。図９は、図５とはさらに別の異なる内視鏡洗浄消毒装置の内部構成の変形例を示す図である。
【０１３８】
図９に示すように、消毒用管路１６０を設けずに、給水循環ノズル２４と、循環口５６とを、吸い出しチューブ１９０で接続した構成に、内視鏡洗浄消毒装置１を構成しても構わない。
【０１３９】
この場合、給水管路９内に残留している水道水を排水する際、制御部７０は、チャンネルポンプ２６を駆動することにより、給水管路９内に残留している水道水は、チャンネルポンプ２６に吸い出されて、給水循環ノズル２４、吸い出しチューブ１９０、循環口５６、循環管路２０、チャンネル管路２１、ケース用管路３０を介して、ポート３３及び洗浄ケース６から、洗浄消毒槽４内に排水された後、制御部７０は、切替弁５７を開成して切り替えて、排水管路５９に連通させることにより、排水管路５９を介して、外部排水口から装置本体２外に排水することができる。
【０１４０】
また、以下、別の変形例を示す。本実施の形態においては、薬液ポンプ６５、チャンネルポンプ２６、流液ポンプ１９は、別途に設けられているが、これに限らず、薬液ポンプ６５、チャンネルポンプ２６、流液ポンプ１９を１つのポンプで兼ねて、各管路を構成したとしても、本実施の形態と同様の効果を得ることができる。
【図面の簡単な説明】
【０１４１】
【図１】本実施の形態を示す内視鏡洗浄消毒装置の斜視図。
【図２】図１のトップカバーが開放され、洗浄消毒槽に内視鏡が収納自在な状態を示す内視鏡洗浄消毒装置の斜視図。
【図３】図１の内視鏡洗浄消毒装置のメイン操作パネルを示す平面図。
【図４】図１の内視鏡洗浄消毒装置のサブ操作パネルを示す平面図。
【図５】図１の内視鏡洗浄消毒装置の内部構成を示す図。
【図６】図５とは別の内視鏡洗浄消毒装置の内部構成の変形例を示す図。
【図７】図５とはさらに別の内視鏡洗浄消毒装置の内部構成の変形例を示す図。
【図８】図５とはさらに異なる別の内視鏡洗浄消毒装置の内部構成の変形例を示す図。
【図９】図５とはさらに別の異なる内視鏡洗浄消毒装置の内部構成の変形例を示す図。
【符号の説明】
【０１４２】
１…内視鏡洗浄消毒装置
２…装置本体
４…洗浄消毒槽
９…給水管路
１５…給水電磁弁
１７…給水フィルタ
２０…循環管路
２１…チャンネル管路
２６…チャンネルポンプ
２８…チャンネル電磁弁
３３…ポート
５５…第１の排水口
５７…切替弁
５８…薬液タンク
５９…排水管路
６０…排水ポンプ
６１…薬液回収管路
６４…薬液管路
６５…薬液ポンプ
７０…制御部
７７…消毒管路電磁弁
１００…内視鏡
１５０…三方電磁弁
１６０…消毒用管路
【図１】
2008132281.tif 000003
【図２】
2008132281.tif 000004
【図３】
2008132281.tif 000005
【図４】
2008132281.tif 000006
【図５】
2008132281.tif 000007
【図６】
2008132281.tif 000008
【図７】
2008132281.tif 000009
【図８】
2008132281.tif 000010
【図９】
2008132281.tif 000011